(57)【要約】結合信号のピーク振幅を制御するために、複数の入力信号を信号処理するための方法、装置、及びシステムの実施形態が開示される。１つの方法は、複数の入力信号を受信するステップと、結合信号を生成するステップであって、結合信号は複数のサブチャネルを備え、各サブチャネルは複数の入力信号のうちの少なくとも１つの少なくとも一部の表現を含む、生成するステップと、サブチャネルのうちの少なくとも１つの複数の入力信号のうちの少なくとも１つの少なくとも一部の表現を処理して、結合信号のピーク対平均電力比（ＰＡＲ）を低減させるステップと、を含む。【選択図】  図１
2015525494.tif 000002
【特許請求の範囲】
【請求項１】
入力信号を処理する方法であって、
複数の入力信号を受信するステップと、
結合信号を生成するステップであって、前記結合信号は複数のサブチャネルを備え、各サブチャネルは前記複数の入力信号のうちの少なくとも１つの少なくとも一部の表現を含む、ステップと、
前記サブチャネルのうちの少なくとも１つの前記複数の入力信号のうちの少なくとも１つの前記少なくとも一部の表現を処理して、前記結合信号のピーク対平均電力比（ＰＡＲ）を低減させるステップと、
を含む、方法。
【請求項２】
前記処理するステップが、前記サブチャネルの各々に対して異なる遅延を適用するステップを含む、請求項１に記載の方法。
【請求項３】
前記結合信号の前記ピーク対平均電力比（ＰＡＲ）を緩和するために、前記異なる遅延の各々を選択するステップをさらに含む、請求項２に記載の方法。
【請求項４】
前記サブチャネルの各々の前記異なる遅延の各々が、前記結合信号の生成前に適用される、請求項２に記載の方法。
【請求項５】
前記サブチャネルの各々の前記異なる遅延の各々が、前記結合信号の生成後に適用される、請求項２に記載の方法。
【請求項６】
前記サブチャネルの各々の前記異なる遅延が、前記結合信号の選択的フィルタリングによって適用される、請求項５に記載の方法。
【請求項７】
各サブチャネルが異なる周波数帯域を占有しており、
少なくとも１つのサブチャネルの中心周波数を再調整するステップをさらに含む、
請求項１に記載の方法。
【請求項８】
前記少なくとも１つのサブチャネルの前記中心周波数を再調整する前記ステップが、ＰＡＲ測定又はサブチャネル周波数プランのうちの少なくとも１つに基づいて適応的である、請求項７に記載の方法。
【請求項９】
前記少なくとも１つのサブチャネルの前記中心周波数を再調整する前記ステップが、ランダム又は確定的である、請求項７に記載の方法。
【請求項１０】
ＰＡＲを低減させるために前記少なくとも１つのサブチャネルを個別に又はまとめて再調整するステップをさらに含む、請求項７に記載の方法。
【請求項１１】
前記サブチャネルのうちの少なくとも１つを、少なくとも１つの他のサブチャネルとは異なるようにスケーリングするステップをさらに含む、請求項１に記載の方法。
【請求項１２】
スケーリングするステップは反転を含む、請求項１１に記載の方法。
【請求項１３】
ピーク低減信号を生成するステップと、
前記結合信号に前記ピーク低減信号を追加し、それによって前記結合信号の前記ＰＡＲを低減させるステップと、
をさらに含む、請求項１に記載の方法。
【請求項１４】
前記複数の入力信号から前記ピーク低減信号を生成するステップをさらに含む、請求項１３に記載の方法。
【請求項１５】
前記サブチャネルのうちの少なくとも１つの前記複数の入力信号のうちの前記少なくとも１つの前記少なくとも一部の前記表現を処理するステップが、前記結合信号のサブチャネルの数に基づいて適応的に変更される、請求項１に記載の方法。
【請求項１６】
前記サブチャネルのうちの少なくとも１つの前記複数の入力信号のうちの前記少なくとも１つの前記少なくとも一部の前記表現を処理するステップが、前記入力信号の統計的相関に基づいて適応的に変更される、請求項１に記載の方法。
【請求項１７】
前記サブチャネルのうちの少なくとも１つの前記複数の入力信号のうちの前記少なくとも１つの前記少なくとも一部の前記表現を処理するステップが、前記結合信号の所望のＰＡＲ特性に基づいて適応的に変更される、請求項１に記載の方法。
【請求項１８】
前記サブチャネルのうちの少なくとも１つの前記複数の入力信号のうちの前記少なくとも１つの前記少なくとも一部の前記表現を処理するステップが、適応的に変更され、前記変更の速度が、前記結合信号に基づく信号の受信器の特性に少なくとも部分的に基づいている、請求項１に記載の方法。
【請求項１９】
入力信号を処理する装置であって、
複数の入力信号を受信し、結合信号を生成するように構成された、マルチストリーム処理システムであって、前記結合信号は複数のサブチャネルを含み、各サブチャネルは前記複数の入力信号のうちの少なくとも１つの少なくとも一部の表現を含む、マルチストリーム処理システムと、
前記サブチャネルのうちの少なくとも１つの前記複数の入力信号のうちの前記少なくとも１つの前記少なくとも一部の前記表現を処理し、前記結合信号のピーク対平均電力比（ＰＡＲ）を低減させるように構成された、信号処理回路と、
を備える、装置。
【請求項２０】
前記信号処理回路が、前記サブチャネルの各々に対して異なる遅延を適用する、請求項１９に記載の装置。
【請求項２１】
前記結合信号の前記ピーク対平均電力比（ＰＡＲ）を緩和するために、前記異なる遅延の各々を選択するステップをさらに含む、請求項２０に記載の装置。
【請求項２２】
前記サブチャネルの各々の前記異なる遅延の各々が、前記結合信号の生成前に適用される、請求項２０に記載の装置。
【請求項２３】
前記サブチャネルの各々の前記異なる遅延の各々が、前記結合信号の生成後に適用される、請求項２０に記載の装置。
【請求項２４】
前記サブチャネルの各々の前記異なる遅延が、前記結合信号の選択的フィルタリングによって適用される、請求項２３に記載の装置。
【請求項２５】
各サブチャネルが異なる周波数帯域を占有しており、
少なくとも１つのサブチャネルの中心周波数を再調整するステップをさらに含む、
請求項１９に記載の装置。
【請求項２６】
サブチャネルの各々の前記再調整が、ＰＡＲ測定又はサブチャネル周波数プランのうちの少なくとも１つに基づいて適応的である、請求項２５に記載の装置。
【請求項２７】
前記複数のサブチャネルの各々の前記再調整が、ランダム又は確定的である、請求項２５に記載の装置。
【請求項２８】
前記複数のサブチャネルのうちの少なくとも１つを反転する前記処理回路、
をさらに備える、請求項１９に記載の装置。
【請求項２９】
ピーク低減信号を生成するように構成された、前記処理回路をさらに備え、
前記結合信号に前記ピーク低減信号を追加することが、前記結合信号の前記ＰＡＲを低減させる、
請求項１９に記載の装置。
【請求項３０】
前記複数のサブチャネルから前記ピーク低減信号を生成するように構成された前記処理回路をさらに備える、請求項２９に記載の装置。
【請求項３１】
前記サブチャネルのうちの少なくとも１つの前記複数の入力信号のうちの前記少なくとも１つの前記少なくとも一部の前記表現を処理するステップが、前記結合信号のサブチャネルの数に基づいて適応的に変更される、請求項１９に記載の装置。
【請求項３２】
前記サブチャネルのうちの少なくとも１つの前記複数の入力信号のうちの前記少なくとも１つの前記少なくとも一部の前記表現を処理するステップが、前記結合信号の所望のＰＡＲ特性に基づいて適応的に変更される、請求項１９に記載の装置。
【請求項３３】
前記サブチャネルのうちの少なくとも１つの前記複数の入力信号のうちの前記少なくとも１つの前記少なくとも一部の前記表現を処理するステップが、適応的に変更され、前記変更の速度が、前記結合信号に基づく信号の受信器の特性に少なくとも部分的に基づいている、請求項１９に記載の装置。
【請求項３４】
入力信号を処理する方法であって、
複数の入力信号を受信するステップと、
結合信号を生成するステップであって、前記結合信号は複数のサブチャネルを備え、各サブチャネルは前記複数の入力信号のうちの少なくとも１つの少なくとも一部の表現を含む、ステップと、
前記結合信号のピーク対平均電力比（ＰＡＲ）を低減させるために、前記結合信号を処理するステップと、
を含む、方法。
【発明の詳細な説明】
【技術分野】
【０００１】
説明する実施形態は、一般には信号処理に関する。より詳細には、説明する実施形態は、結合信号のピーク振幅を制御するための多重ストリームの信号処理のための方法及び装置に関する。
【背景】
【０００２】
現在のデータ多重化又はストリーミングシステムは、ホームエンターテイメントシステムへの多重情報ストリームの処理及び／又は送達を大幅に簡略化している。こうしたデータ多重化／ストリーミングは、こうした多重化システムがサポートする必要のある、様々なシナリオを扱うための高度なシステムを必要とする。
【０００３】
多重データストリーム／チャネルの必要な集約は、多重化及びストリーミングデバイスの信号処理要素に重要な要件を提示する。従来の解決策は、必要なデバイスのコスト、サイズ、消費電力、柔軟性、多重化ストリームの忠実度、及び困難なシナリオにおいて処理されたストリームの品質に関して、非効率的である。
【０００４】
例えば異なるエンターテイメントセンターなどの異なる宛先に送達されることになるストリームが同じである場合、特殊な状況が生じる。ストリームが周波数ドメイン内で複数回複製されるなど、ストリームが複数のチャネルにまたがって複製されることによって、こうした状況が現れる。こうした複数のサブチャネルにまたがったサブストリームの複製の結果、結合ストリームの最悪な偏位（ｅｘｃｕｒｓｉｏｎ）信号レベルを生じさせ、ホームエンターテイメントシステムに送達される信号の飽和、クリッピング、及び歪みを生じさせる可能性がある。こうしたピーク振幅偏位の問題は、ピーク対平均電力（ＰＡＲ）問題と呼ばれることもある。同じサブストリームが複製され、その結果、非常に構造化された、非ランダムな信号振幅変動が生じるために、こうした大きな信号偏位が発生する可能性がある。こうした構造化された処理信号は、結果として何らかの変換領域内に非常に大きな信号偏位を生じさせる可能性があるため、デジタル又はアナログの処理要素は、処理ストリームに対して非常に大きな動的範囲をサポートすることが必要となるか、又は、大幅なクリッピング歪み及び飽和が処理ストリームを悪化させることになる。
【０００５】
複数のサブチャネルにまたがって複数回複製されたストリームの配布に関連付けられた大きなピークを緩和するための装置、方法、及びシステムが求められている。
【発明の開示】
【０００６】
実施形態は、入力信号を処理する方法を含む。方法は、複数の入力信号を受信するステップと、結合信号を生成するステップであって、結合信号は複数のサブチャネルを備え、各サブチャネルは複数の入力信号のうちの少なくとも１つの少なくとも一部の表現（representation）を含む、生成するステップと、サブチャネルのうちの少なくとも１つの複数の入力信号のうちの少なくとも１つの少なくとも一部の表現を処理して、結合信号のピーク対平均電力比（ＰＡＲ）を低減させるステップと、を含む。
【０００７】
別の実施形態は、入力信号を処理するための装置を含む。装置は、複数の入力信号を受信し、結合信号を生成するように構成された、チャネル変換器を含み、結合信号は複数のサブチャネルを含み、各サブチャネルは複数の入力信号のうちの少なくとも１つの少なくとも一部の表現を含む。装置は、サブチャネルのうちの少なくとも１つの複数の入力信号のうちの少なくとも１つの少なくとも一部の表現を処理し、結合信号のピーク対平均電力比（ＰＡＲ）を低減させるように構成された、信号処理回路を、さらに含む。
【０００８】
説明する実施形態の他の態様及び利点は、例えば説明する実施形態の原理を例示する、添付の図面に関して記載された以下の詳細な説明から明らかとなろう。
【０００９】
本発明の特徴及びその技術的利点は、好ましい実施形態の以下の説明並びに特許請求の範囲及び添付の図面から理解可能である。
【図面の簡単な説明】
【００１０】
【図１】図１は、入力信号の複数の複製を含む出力信号を生成するために、複数の入力信号を処理する実施形態の２つの異なる高水準ブロック図の例を示す図であり、各複製は出力信号の異なるサブチャネルを占有する。
【００１１】
【図２】図２は、入力信号のうちの１つの複数の複製を含む出力信号を生成するために、複数の入力信号を処理するための実施形態のブロック図の例を示す図であり、各複製は出力信号の異なる周波数サブチャネルを占有する。
【００１２】
【図３】図３は、入力信号のうちの１つの複数の複製を含む出力信号を生成するために、複数の入力信号を処理するための実施形態のブロック図の別の例を示す図である。
【００１３】
【図４】図４は、入力信号のうちの１つの複数の複製を含む出力信号を生成するために、複数の入力信号を処理するための実施形態のブロック図の別の例を示す図である。
【００１４】
【図５】図５は、入力信号のうちの１つの複数の複製を含む出力信号を生成するために、複数の入力信号を処理するための実施形態のブロック図の別の例を示す図である。
【００１５】
【図６】図６は、入力信号のうちの１つの複数の複製を含む出力信号を生成するために、複数の入力信号を処理するための実施形態のブロック図の別の例を示す図であり、各複製は出力信号の異なる周波数サブチャネルを占有し、調整済みの中心周波数を有する。
【００１６】
【図７】図７は、図６の実施形態の実装のブロック図の例を示し、各サブチャネルの中心周波数はＰＡＲ測定及びフィードバックに影響される。
【００１７】
【図８】図８は、入力信号のうちの１つの複数の複製を含む出力信号を生成するために、複数の入力信号を処理するための実施形態のブロック図の別の例を示す図である。
【００１８】
【図９】図９は、各サブチャネルの処理がＰＡＲ測定及びフィードバックに影響される実施形態のブロック図の例を示す図である。
【００１９】
【図１０】図１０は、入力信号の複数の複製を含み、出力信号のＰＡＲを低減させるためのピーク低減除去信号をさらに含む、出力信号を生成するために、複数の入力信号を処理するための実施形態のブロック図の別の例を示す図である。
【００２０】
【図１１】図１１は、結合信号を生成するために入力信号を処理する方法の例のステップを含むフローチャートである。
【好ましい実施形態の詳細な説明】
【００２１】
例示のために図面に示したように、説明する実施形態は、複数の複製されたサブストリームを含むストリームのピーク偏位を低減させるための装置、方法、及びシステムを含む。ストリームのピーク偏位の低減の結果として、信号振幅偏位がより小さくなり、その結果、クリッピング及び歪みが少なくなり、及び／又は、処理要素はより小さな動的範囲をサポートすることになる。加えて、ストリームのピーク偏位における低減の実施形態は、処理回路の簡略化を可能にし、多重ストリーム処理システムのコスト、範囲、及びパワーの改善をもたらす。
【００２２】
信号ピーク振幅を低減させるための可能な方法の１つが、単純なスケーリングによって信号パワーを低減させることである。しかしながらこうしたスケーリングは、他の制約によってしきい値より上に維持されなければならない信号のパワーも低減させてしまうため、こうした単純なスケーリングによる解決策が必ずしも適用可能であるとは限らない。さらに、様々な処理段階でスケーリングによって信号の振幅及びパワーを低減させることで、信号の忠実度を低下させる量子化、クロストーク、干渉などの、他の雑音の影響を、信号がより受けやすくなり、結果として最悪のシステム性能となる。
【００２３】
開示する実施形態は、処理ストリームの平均パワーに大幅な影響を与えることなく、単純な処理修正によって信号ピーク振幅を低減させるため、結果としてピーク対平均電力（ＰＡＲ）低減の効率的な方法を生じさせる。信号ピーク偏位を低減させるためのこれらの単純な手法は、結果として歪みを少なくし、パワー、範囲、コスト、複雑さなどに関して、より安価でより効率的な処理要素を生じさせる。さらに、開示する実施形態は、いかなる追加の材料も必要とせず、多くの可能な展開にも適合可能である。
【００２４】
図１は、入力信号の複数の複製を含む出力信号を生成するために、複数の入力信号を処理する実施形態の２つの異なる高水準ブロック図１１０、１１１の例を示す図であり、各複製は出力信号の異なるサブチャネルを占有する。第１の処理ブロック１１０は、単一の入力信号（例えば、複数の入力信号、信号１、信号２、・・・信号Ｎのうちの信号１）の複数の複製を処理し、結合信号（結合器又は加算器１２０）を生成し、次にこれが出力信号のＰＡＲを低減させるために処理ブロック１３０によって処理される。第２の処理ブロック１１１は、複数の入力（例えば、入力信号、信号１、信号２、・・・信号Ｎ）を処理し、次にこれらが結合され（結合器又は加算器１２１）、出力信号を生成する。複数入力の各々を処理することで、結合出力信号のＰＡＲが低減する。
【００２５】
図１のブロック図の各々には単一の出力が示されているが、所望の数の出力信号ストリームが可能であり、各出力は処理された入力信号の任意の可能な組み合わせのうちの何らかの組み合わせであることを理解されよう。
【００２６】
実施形態では、各出力は、複数のチャネルを含む単一の出力ストリームを含む。実施形態では、各チャネルは周波数チャネルによって定義される。しかしながら、チャネルは他の構造及び他の変換領域によっても定義可能である。複数のサブチャネルを備える多くの他の変換領域が可能である。こうした変換の例は、離散フーリエ変換（ＤＦＴ）、離散ハートレー変換（ＤＨＴ）、離散コサイン変換（ＤＣＴ）、離散ウェーブレット変換（ＤＷＴ）、他のウェーブレット基底、フィルタバンクチャネル化などを含む。さらに変換は、例えば多次元フーリエ変換又は多次元ウェーブレット変換などの、多次元変換とすることができる。
【００２７】
少なくとも１つの実施形態では、結合器１１０、１１１は総和又は加算を含む。しかしながら結合器は、別の方法として、異なるチャネル上の信号の変調、又は何らかの他のサブチャネル化構造上の信号の変調などの、他の形の信号の結合を含むことができる。他の方法は、異なる周波数へのサブチャネルの周波数変調を含む。さらに信号の結合は、前述のいずれかの変換を介して実施可能である。
【００２８】
図１の実施形態では、ＰＡＲを低減させるための処理の２つの方法が示されている。図１に示された２つのうちの第１の実施形態では、結合デバイス１２０を使用して複数の信号が結合され、結果として結合信号が生じ、これが結合信号のＰＡＲを低減させるために処理１３０によって処理される。いくつかのＰＡＲ低減処理方法は、結合信号を含むサブ信号での動作よりも、結合信号での動作時により良く機能する。他のＰＡＲ低減方法は、結合信号を生成するために結合されるサブ信号への適用が好適である。こうした実施形態の１つが、１１１で実行される処理によって示されており、入力信号１の少なくとも一部の表現の各々は、結合１２１後の出力信号が低減されたＰＡＲを有するように、個別に処理される。
【００２９】
図１の実施形態は、説明する実施形態の特定の実現を示しているが、多くの他の実施形態が可能である。例えば実施形態では、ＰＡＲ低減処理は、出力信号を生成するために結合されたサブ信号上並びに結合信号上の、両方で実施される。他の実施形態は、複数の出力信号のためのＰＡＲ処理を含む。少なくともいくつかの実施形態では、多重ストリーム処理も複数の出力信号を生成する。これらの実施形態のうちの少なくともいくつかについて、ＰＡＲ低減処理は、出力信号のうちの結合信号の各々について実施される。ＰＡＲ低減処理は、異なる出力信号を生成するために後に結合されるサブ信号の各々についても実施可能である。複数の出力信号が生成される実施形態では、出力信号を生成するために結合されたサブ信号並びに各結合信号の両方について、ＰＡＲ低減処理を実施することがしばしば有利である。
【００３０】
別の実施形態は、入力信号のサブコンポーネントの結合に基づいて複数の出力信号を生成するための、複数の入力信号の処理を含む。こうした実施形態において、入力信号のうちの１つの少なくとも一部の表現を、入力信号のうちの１つの少なくとも一部の他の表現と結合させて、複数の出力信号を生成することができる。こうした実施形態では、ＰＡＲ低減処理を、結合信号を含むサブ信号、又は結合信号自体、或いは何らかの共同ＰＡＲ低減処理に適用することができる。加えてＰＡＲ低減処理は、出力信号が生成される前に処理される、システム内の任意の他の中間信号又はストリームにも適用することができる。
【００３１】
ＰＡＲ低減処理方法は、デジタル又はアナログのいずれか、或いはアナログ及びデジタル処理の何らかの組み合わせとすることができる。少なくともいくつかの実施形態では、ＰＡＲ低減処理は、ソフトウェア又はハードウェア、或いはハードウェア及びソフトウェアの何らかの組み合わせによって制御される。さらに処理は、ＰＡＲ低減処理を指示するために、オープンループ様式で、又は何らかのフィードバックを用いて、さらに様々な場所での測定に基づいて、実装可能である。
【００３２】
図２は、入力信号の複数の複製を含む出力信号を生成するために、入力信号を処理するための実施形態のブロック図の例を示す図であり、各複製は出力信号の異なる周波数サブチャネルを占有する。
【００３３】
本実施形態における多重信号プロセッサ２１０は、信号１の複数の表現を処理する。信号１の表現の各々は、出力信号のＰＡＲを低減させるために、２１０において個別に処理される。加えて、ＰＡＲ低減処理ブロック２１２は、複数のＰＡＲ処理低減入力を含む。ＰＡＲ処理は、ＰＡＲ低減処理ブロック２１２へのすべての入力でまとめて実行される。この実施形態では、複数のＰＡＲ処理入力は、各共通の信号（信号１）をそれらの入力として受信する。
【００３４】
対応する周波数スペクトル２３０は出力信号の例を示し、出力信号の各サブチャネルは周波数サブチャネルによって定義される。複数のサブチャネルの各サブチャネルは、複製された入力信号１の周波数成分によって占有された後、出力信号のＰＡＲ低減のために処理されることが可能である。複製は、入力信号の少なくとも一部のコピーを生成することを含み、この部分は入力１をフィルタリングすることによって生成可能であり、結果として入力１のサブバンドが複製されることになる。図２では、チャネルを結合することによって生成される出力信号のＰＡＲを低減させるために、周波数スペクトル２３０内に示されたチャネルＣｈ１、Ｃｈ２、Ｃｈ３、Ｃｈ４、Ｃｈ５の各々が個別に処理される。
【００３５】
別の実施形態において、ＰＡＲ低減処理ブロック２１２へのすべての入力の処理は、２１２への他の入力の知識又は協働なしに個別に実行される。こうした処理はあまり効果的でない可能性があるが、個別の入力に対して実行され、ＰＡＲ低減処理ブロック２１２への他の入力の知識又は協働を必要としないため、非常に単純である。こうした手法は、結果として実装を簡略化することができる。
【００３６】
少なくともいくつかの実施形態では、入力信号１の一部の生成は、信号１の所望の部分を選択するために信号１に選択フィルタを通過させることを含む。フィルタは、有限インパルス応答（ＦＩＲ）フィルタ又は無限インパルス応答（ＩＩＲ）フィルタなどの、線形フィルタとすることができる。例えば、複製されることになる所望の帯域幅を選択する帯域通過フィルタ（ＢＰＦ）は、信号１の一部を生成するための可能な実施形態である。フィルタは、非線形フィルタとすることもできる。さらにフィルタは、時間変動及び適応的、又は静的及び固定型とすることもできる。ＰＡＲ低減処理ブロック２１２内の処理済み信号が互いに部分的にのみ相関されるように、信号１の一部並びにランダム成分を追加することなどの、信号１の一部を生成するための他の生成方法が可能である。
【００３７】
複製信号の生成のための別の実施形態は、複数のサブチャネルにまたがってコピーされる処理済み信号１の正確な複製を含む。他の実施形態は、２つ又はそれ以上のストリームの処理を含み、すべてのサブチャネルは信号１の処理済み出力、又は信号２の処理済み出力、或いは信号３の処理済み出力などの、いずれかを含む。ＰＡＲ低減処理は、その後、すべてのサブチャネルで別個に、又は各入力信号（信号１、信号２、・・・、信号Ｎ）の処理済み出力に対して、又はすべての処理済みストリームの結合出力に対して、適用される。
【００３８】
実施形態では、ＰＡＲ低減処理は、各出力サブチャネル周波数を生成するための、周波数アップコンバージョン（ｕｐ−ｃｏｎｖｅｒｓｉｏｎ）又は周波数偏移をさらに含むことを理解されよう。
【００３９】
別の実施形態において、ＰＡＲ低減処理ブロック２１２の処理は、変化する処理要件に合わせた所望の処理を有するために経時的に変化している。例えば、ＰＡＲ低減性能の尺度は、出力信号又は他の場所で、或いは出力信号に結合された他の信号で、作成することが可能であり、ＰＡＲ低減処理がＰＡＲを十分に低減させているかどうか、又は、所望のＰＡＲ特性を達成するためにＰＡＲ低減処理ブロック２１２内の他の処理が必要であるかどうかを、決定することができる。さらにＰＡＲ低減処理は、処理済み入力信号に対する条件の変化に応答して変更可能である。例えば、入力信号又はシステムによって処理される何らかの他の信号における変化、或いは入力信号の伝搬特性における変化は、新しい状況に対処するためにＰＡＲ低減処理における変更を必要とする可能性がある。
【００４０】
図３は、入力信号の複数の複製を含む出力信号を生成するために、複数の入力信号を処理するための実施形態のブロック図の別の例を示す図である。
【００４１】
この実施形態が示すように、ＰＡＲ処理（３１０）は入力信号で実行可能であり、加えて又は別の方法として、ＰＡＲ処理は結合信号（３１２）でも実行可能である。図３のＰＡＲ処理は、３１０及び３１２におけるＰＡＲ低減手法が異なり、各々がＰＡＲ低減全体に対して寄与可能であるため、有利であり得る。他のシナリオでは、ＰＡＲ低減処理３１０又は３１２のうちの１つは、何らかの基準に基づいて選択される。例えば、現在の入力信号統計に関して最良のＰＡＲ低減性能を与える処理は、ＰＡＲ低減処理のパワー及びリソースを節約するように選択される。
【００４２】
別の実施形態は、結合信号が追加のＰＡＲ処理を必要とする他の処理を受ける可能性があるため、サブチャネル及び結合信号の両方に対するＰＡＲ低減処理を含む。さらに、いくつかの実施形態において、結合信号は、ＰＡＲを低減させるように処理されていないサブチャネルを含む可能性があるため、結合信号のためのＰＡＲ低減処理を有することが有利である。
【００４３】
少なくともいくつかの実施形態では、処理３１０は、入力１から当該のサブチャネルを抽出するためのフィルタリング、並びに、結合信号を生成するための３１０における処理済み信号の周波数偏移／アップコンバージョンも含む。３１０の例示の実施形態は、周波数ｆ１による信号１のダウンコンバージョン、所望のサブチャネルを抽出するために、ダウンコンバートされた信号に低域通過フィルタ（又は帯域通過フィルタ）を通過させること、さらにその後、これをＰＡＲ低減処理ユニットに渡すことを含む。ＰＡＲ低減処理の後、処理の出力は所望の周波数ｆｃ１へとアップコンバートされる。３１０内の第２の処理ユニットに関する処理は、アップコンバージョン周波数がｆｃ２であることを除いて同じように進行し、結合信号を形成するために３１０内に生成される他のサブチャネルについても同様である。
【００４４】
周波数によって分けられるサブチャネルに加えて、他のチャネル化の実現並びに他の直交変換が可能である。いくつかの例示の実施形態は、離散コサイン変換、ウォルシュアダマール変換、ウェーブレット変換、又はフィルタバンク合成及び分析変換を含む。
【００４５】
図３の処理実施形態に加えて、処理３１０は、ＰＡＲ低減が目的でない信号の他の処理を含むことができる。同様に、結合信号は、出力信号を生成するためのＰＡＲ低減とは無関係の他の処理を含むことができる。ＰＡＲ低減処理３１０及び３１２は、入力信号の他の処理に依存する。例えば他の処理の実施形態は、サブチャネルの時間領域処理又は周波数領域処理のいずれかにある。
【００４６】
図４は、入力信号の複数の複製を含む出力信号を生成するために、複数の入力信号を処理する（４１０）ための実施形態のブロック図の別の例を示す図である。少なくともいくつかのＰＡＲ低減処理実施形態は、各サブチャネルについて異なる遅延と結合されたサブチャネルを処理することを含む。サブチャネル内の遅延差は、サブチャネルのサンプルが同じ時点で検査された場合、サブチャネルのサンプルが異なることを意味する。数学的には、異なる遅延を有するサブチャネルは以下のように表すことができる。
Ｃ１（ｎ）＝ｓ（ｎ−ｄ１）
Ｃ２（ｎ）＝ｓ（ｎ−ｄ２）
Ｃ３（ｎ）＝ｓ（ｎ−ｄ３）
・
・
・
ＣＭ（ｎ）＝ｓ（ｎ−ｄＭ）
【００４７】
上式で、ｓ（ｎ）はデジタル信号ストリームであり、ｎはサンプル番号であり、ｄ１、ｄ２、・・・、ｄＭは整数であり、ｄ１、ｄ２、ｄ３、・・・、ｄＭは図４の遅延Ｄｅｌ１、Ｄｅｌ２、Ｄｅｌ３、・・・、ＤｅｌＭを表すことができる。
【００４８】
異なるサブチャネルの遅延（Ｄｅｌ１、Ｄｅｌ２、Ｄｅｌ３、・・・、ＤｅｌＭ）は、多くの異なる方法で実施可能である。可能な手法は、各別個のサブチャネルを他のサブチャネルと結合されるまで遅延させることである。これは、サブチャネルの処理経路の異なる遅延を有することによって実装可能である。デジタル遅延要素は、処理経路内の異なる数のフリップフロップ又はデジタル遅延を用いて実施可能である。別の可能な手法は、各サブチャネルに、各サブチャネルに対して異なる遅延を合成するフィルタを通過させることである。フィルタは、サブチャネルを遅延させることに加えて、他の機能を実行することも可能である。例えばサブチャネル遅延フィルタは、帯域通過又は低域通過のフィルタリングを実行することも可能である。こうしたフィルタの実施形態は、例えば線形位相フィルタを含む。
【００４９】
異なる遅延を導入するフィルタの少なくともいくつかの実施形態は、ＦＩＲフィルタ又はＩＩＲフィルタとして実装されるフィルタである。他の実施形態は、わずかなサンプリングレート領域内での信号のサンプリングレートの変更を使用して、処理済みストリームの遅延を合成する、マルチレート技法によって実装される。加えて、他の実施形態は、時間領域フィルタ実装、或いは、周波数領域又はブロック領域のフィルタ実装を含む。
他の実施形態は、デジタル処理技法又はアナログ処理技法、或いはアナログ及びデジタルの両方の処理の組み合わせを使用して、サブチャネル遅延を合成する、サブチャネル遅延の実装を含む。
【００５０】
遅延処理の少なくともいくつかの実施形態は、静的であるか、又は柔軟性を追加する場合は動的であり、他の変化する量に基づいて経時的に変化することが可能である。サブチャネル遅延の変更は、ＰＡＲ低減特性に依存することが可能であるか、或いは、入力信号特性又はＰＡＲ特性、サブチャネルの数、サブチャネルの配置構成などの、経時的に変化する可能性がある処理パラメータに依存することが可能である。
【００５１】
実施形態では、フィルタリングの係数は、例えば結合信号又は出力信号の測定されたＰＡＲに基づいて、動的に選択される。さらに係数は、サブチャネル遅延処理の後、処理要素に対する突然の変化を誘発しないように、ゆっくりと動的に調整することができる。さらに結合信号の処理要素は、同じ処理ユニット内に常駐するか、又は、結合信号に結合された信号の他の処理内に含めてもよい。例えば、結合信号が通信チャネルを介して伝送され、ストリーム内の情報を抽出するために復調又は復号されるストリームを含む場合、こうした復調器又は復号器は、受信信号に基づいて調整される要素を含む可能性がある。例えば、タイミング回復システム、搬送波回復システム、自動利得制御システム（ＡＧＣ）、適応等化／フィルタリングシステムは、すべて、時には受信信号の特性に基づいて適合される。したがって例示の実施形態では、前述のループを追跡するすべての復調器又は復号器が、復調された信号の品質又は検出されたデータの誤り性能を損なうことなく、サブチャネル特性の変化を追跡できるように、サブチャネル遅延の変更は十分にゆっくりと実行される。
【００５２】
遅延又は循環的に偏移するシーケンスを用いてサブチャネルを畳み込むか又は変調すること、或いは、短期間インスタンスにわたって、より統計的でない相関をサブチャネルに持たせるために、疑似ランダムシーケンス又はストリームを用いてサブチャネルを変調することなどの、サブチャネルを経時的に同様に非相関することによってＰＡＲを低減させ、その結果ＰＡＲ性能を向上させる、他の実施形態が可能である。サブチャネル変調は、後に、変調疑似ランダムシーケンスを伴うサブチャネルの復調／非相関によって、サブチャネルを処理することが必要なデバイスによって、除去することができる。
【００５３】
各処理入力信号の遅延の実施形態は、物理的遅延によって、フィルタによって、及び／又はマルチレート処理技法を介して、実装可能である。
【００５４】
実施形態は、サブチャネル全体にわたって線形位相を含むが、各サブチャネルに対する遅延は異なる、選択されたフィルタを含む。
【００５５】
図５は、入力信号の複数の複製を含む出力信号を生成するために、複数の入力信号を処理するための実施形態のブロック図の別の例を示す図である。本実施形態は、結合信号での遅延処理を含む。処理ブロック５１０は、結合信号を生成するために結合されたサブチャネルを処理し、その後、異なる遅延によってサブチャネルのうちのいくつかを遅延させる、処理デバイス５１２による処理をさらに含む。これは例えば、サブチャネルを様々に遅延させるか、又は、各々が異なるサブチャネルを異なる量だけ遅延させる、複数のＩＩＲフィルタを使用する、５１２における特別なフィルタの選択を含む。
【００５６】
実施形態は、各サブチャネルにわたる線形位相を含む、特別なフィルタを含むが、サブチャネル周波数のスパン全体にわたる線形位相応答は、複数のサブチャネルの各々に対する異なる処理遅延によって、サブチャネル周波数帯域を遅延させてもよい。こうしたフィルタは従来定義されたＦＩＲ線形位相フィルタとは同一ではなく、他の技法を用いて設計可能である。別の実施形態は、周波数領域処理を採用するものであり、異なる周波数領域サブチャネル処理遅延が、サブチャネルに対応する異なる周波数帯域に対して実装される。
【００５７】
結合信号での動作の利点は、単一のフィルタがすべてのサブチャネルを同時に遅延させることが可能であるため、結果として互いに遅延されるサブチャネルを生じさせ、サブチャネルのサンプルがもはや時間的に整合されていないため、これがしばしばＰＡＲ性能の向上につながる。別の実施形態は、異なる遅延を異なるサブチャネルに導入するために、結合信号の処理を動的に変更することを含む。単一フィルタとして実装される場合、条件の変更に応答して、又は初期の良好なＰＡＲ低減性能を達成するために、フィルタ係数は、異なるサブチャネルに対する異なる遅延をゆっくりと合成するようになされ得る。例示の実施形態では、５１２におけるフィルタは、すべてのサブチャネルに対して同じ遅延を導入する、従来の線形位相ＦＩＲフィルタを形成する、初期の条件を有する。その後、結合信号を生成するためにさらにサブチャネルが結合されることに応答して、結合信号のサブチャネル間にサブチャネル遅延差を導入するために、フィルタタップはゆっくりと変更される。さらにＰＡＲ低減処理が必要な場合、フィルタは、サブチャネル内により大きな遅延差を導入し、ＰＡＲ低減をもたらすようにさらになされ得る。
【００５８】
フィルタ変更は、結合信号を処理する他の要素が結合信号内の変化の速度に圧倒されないことを保証するように十分ゆっくりと実施することができる。実施形態では、フィルタ係数の変更は、ＰＡＲの低減を試行する適応数値アルゴリズムに基づくものである。
【００５９】
図６は、入力信号の複数の複製を含む出力信号を生成するために、複数の入力信号を処理する（６１０）ための実施形態のブロック図の別の例を示す図であり、各複製は出力信号の異なる周波数サブチャネルを占有し、調整済みの中心周波数を有する。図に示されるように、サブチャネルの中心周波数は初期条件から意図的にオフセットされ、その結果、ＰＡＲを低減させる結合信号署名が生じることになる。
【００６０】
実施形態では、中心周波数は、ランダム又は確定的に選択可能である。例えば所与の標準サブチャネル周波数マッピングは、以下によって与えられ、
Ｆｃ１＝Ｆ１＋Ｄ、Ｆｃ２＝Ｆ２＋２Ｄ、・・・、・・・、ＦｃＭ＝Ｆ０＋（Ｍ−１）Ｄ
上式で、Ｆｃ１、Ｆｃ２、・・・、ＦｃＭは、メガヘルツ（ＭＨｚ）などの何らかの周波数測定単位での異なるサブチャネルに関する中心周波数である。
【００６１】
実施形態は、ＰＡＲを低減させるために中心周波数を偏移することを含み、中心周波数は、例えば以下に偏移され、
Ｆｃ１＝Ｆａ＋Ｄ＋ｇ１、Ｆｃ２＝Ｆ１＋２Ｄ＋ｇ２、・・・、・・・、ＦｃＭ＝Ｆ１＋（Ｍ−１）Ｄ＋ｇＭ
上式で、ｇｉは、結合信号のＰＡＲを低減させるために選択された、中心周波数からの周波数偏差（ＭＨｚ単位）を表す。
【００６２】
実施形態では、サブチャネルｉについてｇｉによって与えられるサブチャネルに関する周波数偏移は、多くの方法によって選択可能である。実施形態では、ｇｉは、可能な周波数偏移領域にわたってランダムに、又各サブチャネルｉに対して個別に、選択される。ｇｉは、結合信号のＰＡＲを低減させる確定的な周波数偏移パターンを生じさせるように、まとめて決定することも可能である。他の実施形態は、わずかな可能な周波数偏移値のみを有することを含み、これは、ｇｉが周波数偏移選択肢の有限セットから選択されることを意味する。
【００６３】
実施形態では、サブチャネルｉに関する周波数偏移ｇｉは、時間領域処理又は周波数領域処理を使用して、多くの方法で実装可能である。実施形態では、時間領域手法は周波数アップコンバージョン又はダウンコンバージョン処理を使用して、サブチャネルｉに関するｇｉに等しい追加の周波数偏移を導入する。例えばサブチャネルが、Ｆｃｉの中心周波数に配置されるまで、０  ＭＨｚの周波数を中心とすると想定すると、周波数アップコンバージョンは、ベースバンドサブチャネル位置をＦｃｉ  ＭＨｚの中心周波数までアップコンバートすることになる。中央周波数偏移を実装するために、アップコンバージョン周波数はＦｃｉ÷ｇｉに等しくすることができる。
【００６４】
実施形態では、サブチャネル中心周波数偏移は周波数領域方法を使用して実施される。例えば中心周波数偏移は、サブチャネルに属するトーン／ビンの有効周波数偏移を誘導するために、周波数領域トーン／ビンのセットを異なる位置にマッピングすることによって、周波数領域内で容易に実行可能である。別の実施形態では、中央周波数偏移は多くの可能な変換領域内で実装可能である。例えば、こうした中心周波数偏移は、フィルタバンク分析段階の出力チャネル又はトーンを修正することによって、フィルタバンク分析処理の出力で実装可能である。
【００６５】
別の実施形態は、サブチャネルの中心周波数偏移を動的に変更することを含む。サブチャネルの中心周波数を変更することは、ＰＡＲ低減性能の測定、及び、結合信号のＰＡＲをさらに低減させるためにサブチャネルのうちのいくつかの周波数偏移を調整することに基づいて、実装可能である。中心周波数偏移における変更は、入力ストリーム特性における変化、又は、温度或いは伝送又は受信されるパワーの変化などの環境の変化などの、処理済みストリームにおける変化、或いは、処理済みストリームの数又はそれらの中心周波数における変化に基づいて、開始することも可能である。他の実施形態では、中心周波数の変更は、結合信号のサブチャネルを処理する他の処理デバイスを圧倒しないように、十分ゆっくりと実施することができる。例えば、サブチャネル処理に関する搬送波回復ループは、通常、結合信号のサブチャネルの中心周波数を追跡する。こうした中心周波数の追跡は維持される必要があるため、サブチャネルの搬送波追跡がいかなる忠実度又は性能の低下をも引き起こすことなく達成できるように、ＰＡＲを低減させるための中心周波数における変更は低速で実施されなければならない。
【００６６】
図７は、図６の実施形態の実装のブロック図の例を示し、各サブチャネルの中心周波数はＰＡＲ測定７１２及びフィードバック７１４に影響される。前述の中心周波数は、例えば複数信号の処理（７１０）内でのｇｉセットの選択を介して、ＰＡＲ測定及びフィードバックに基づいて選択される。
【００６７】
例示の実施形態では、サブチャネル中心周波数の配置は、サブチャネル周波数マッピングプラン、ドップラー偏移の影響、不明確なクロック／タイミングデバイスによる周波数の不確実性などの、他の制約によって制約を受けるため、ＰＡＲを低減させるために実行される中心周波数偏移は、制限付き周波数領域に限定される。
【００６８】
実施形態では、ＰＡＲ測定は、結合信号、出力信号、又は、それらの信号にいずれかの方法で結合された任意の信号で、実行可能である。例えばＰＡＲは、アナログ又はデジタルの領域内で、或いは異なる位置で測定可能である。ＰＡＲ測定は、信号の振幅が指定された期間内に事前に定義されたしきい値を超えた回数をカウントする、単純なしきい値カウンタでもよい。他の測定は、ある期間にわたって信号の統計を収集すること、及び、信号の振幅の統計的分布を分析することを含む。当分野で知られた多くの他のＰＡＲ測定が可能である。
【００６９】
実施形態では、７１２で測定されるＰＡＲ特性は７１４にフィードバックされ、これらの測定値を使用して、７１４で測定されたＰＡＲ特性に変更を誘導するようにＰＡＲ低減処理を調整してもよい。こうした処理は、例えば、７１０で処理されたサブチャネルの中心周波数偏移を変化させることによって、良好なＰＡＲ低減の解決策を達成するために使用される。初期の中心周波数偏移から始まり、サブチャネルの中心周波数は変更され、その後７１２でのＰＡＲ測定が行われ、情報を７１４に返送し、７１４における処理は、測定されたＰＡＲ特性に基づいて次のサブチャネル周波数調整を決定する。
【００７０】
別の実施形態では、マルチストリーム処理システムに関する処理要件の変更によって、サブチャネルの数が変更される場合、新しいサブチャネルを処理に追加することができる。これらのサブチャネルを処理に追加した後、ＰＡＲ特性が７１２で測定され、その後７１４で、新しいサブチャネル及び古いサブチャネルの中心周波数を調整して、新しい結合信号のＰＡＲを低減させる。
【００７１】
図８は、入力信号の複数の複製を含む出力信号を生成するために、複数の入力信号を処理するための実施形態のブロック図の別の例を示す図である。この実施形態では、複数信号の処理（８１０）は、結合信号のＰＡＲを低減させるために、乗算器（Ｃ１、Ｃ２、Ｃ３、・・・、ＣＭ）を用いて各サブチャネルを乗算することを含む。
【００７２】
少なくともいくつかの実施形態では、処理は、サブチャネルのうちの少なくとも１つを、１つの他のサブチャネルとは異なるようにスケーリングすることを含む。特定の実施形態では、スケーリングは少なくとも１つの反転を含む。実施形態では、各サブチャネルに対する異なる処理は、異なるフィルタ、又はストリームのサブチャネルの異なるスケーリング、又は単に、ストリームを構成するすべてのサンプルの極性／符号を変更すること（ストリームに＋１又は−１を掛け合わせることと等価である）であってもよい。さらに、ストリーム処理が波形の複素ベースバンド表現を用いて実行される場合、スケーリング因数は（実成分及び虚数成分を伴う）複素数になり得る。
【００７３】
スケーリングは、デジタル又はアナログの処理を使用することを含む、多くの異なる方法で実装可能である。スケーリングは、時間領域処理又は周波数領域を使用して実装可能である。実施形態では、別個のサブチャネルの処理はサブチャネルのスケーリングを含む。実施形態では、サブチャネル処理に使用されるフィルタは、サブチャネルの追加のスケーリングを実装することが可能である。
【００７４】
別の実施形態では、周波数領域処理又はブロック領域処理において、チャネルスケーリングは、周波数領域トーン／ビンをスケーリングすることなどによって周波数領域内で実装される。
【００７５】
別の実施形態では、サブチャネルのスケーリングは、サブチャネルのサブチャネルダウンコンバージョン又はアップコンバージョン処理を使用して実装される。例えば、アップコンバージョン又はダウンコンバージョンフェーザ（ｐｈａｓｏｒ）の位相を変更又は修正し、結果としてサブチャネルの位相偏移を実装することができる。別の実施形態では、アップコンバージョン又はダウンコンバージョンフェーザにおける位相変更は、サブチャネルにまたがるフェーザを異なるように遅延させることによって実行される。
【００７６】
特定の実施形態では、スケーリング乗算器は１又は−１を含む。実施形態では、スケーリングはランダムスケーリング又は確定的スケーリングとすることができる。ランダムスケーリングは、１又は−１のランダムな選択か、或いは有界集合からのランダムスケーリングに基づいたスケーリングとすることができる。サブチャネルスケーリングの場合、スケーリングは、各サブチャネルに対して個別に実行可能であるか、又は、まとめて調整され、各サブチャネルに対して実施可能である。サブチャネルのスケーリングをまとめて決定することで、各サブチャネルに対して個別にスケーリングを実行するよりも多くのＰＡＲ低減が得られる。
【００７７】
別の実施形態では、サブチャネルスケーリングは結合信号の処理によって実行される。別の実施形態では、サブチャネルの異なるサブグループに対して同じスケーリング値が使用される。例えば、結合信号を処理するフィルタは、異なるスケーリング因数を用いてサブチャネルの異なるグループをフィルタリングすることができる。
【００７８】
別の実施形態では、スケーリングは、ＰＡＲ測定又は他の基準に基づいて動的及び適合的である。スケーリング係数は、他の処理要素を圧倒しないように事前に決定されたレートで変更することができる。それらは、ＰＡＲ測定からのフィードバックに基づくか、又は何らかの他の適合アルゴリズムに基づいて、変更可能である。
【００７９】
図９は、各サブチャネルの処理がＰＡＲ測定及びフィードバックに影響される実施形態のブロック図の例を示す図である。ＰＡＲ測定はＰＡＲ測定ユニット９１２によって実行される。実施形態では、測定は結合信号で実行される。他の実施形態では、測定は、結合信号に結合された、異なる位置にある他の信号で実施される。測定は、複数の位置でも実施可能であり、すべての測定はＰＡＲ処理の調整に使用可能である。例えば測定は、さらなるフィルタリング又はアップコンバージョンなどの結合信号のさらなる処理の後に、或いはアナログ領域内で、実行可能である。ＰＡＲ測定は、その結合信号がさらに処理するために異なる位置に送信された後に処理する、復調器又はプロセッサなどの位置で、実施することも可能である。
【００８０】
測定は処理ブロック９１４に送信され、ここでＰＡＲ測定結果が処理及び分析される。９１４での処理は、９１２における様々な測定ポイントで所望のＰＡＲ特性を達成するようにＰＡＲ処理９１０を変更するための処置を取ることができる。ＰＡＲ測定の処理の結果、例えば、ＰＡＲ処理を変更することができる。実施形態では、サブチャネルの中心周波数が修正されるか、サブチャネルスケーリングが変更されるか、或いは、ＰＡＲ特性を変更するためにサブチャネルのフィルタリングが変更される。
【００８１】
９１４によって指示された９１０でのＰＡＲ処理の変更は、多くの可能な状況に対処するために多くの異なる方法で実行可能である。変更は、結合信号のさらなる処理が低下しないように、ゆっくりとした変更速度で実行される。或いは、他の処理要素との連携で実行可能である。
【００８２】
少なくともいくつかの実施形態では、ＰＡＲフィードバックを使用して、他の受信器又はモデムを損傷させないような「低速」で、係数を動的に調整することができる。こうしたモデム又は他の受信器は、処理する信号内の変更が非常に低速で変化するように予測するため、結果として受信された信号内の変更を追跡するためにゆっくりと処理を調整することができる。別の実施形態において、ユニット９１４は、実行しようとしているＰＡＲ処理における変更を、結合信号を処理する他の処理要素に通信するため、他の処理ユニットは結合信号内の変更に気付き、それに応じて処理を調整することができる。
【００８３】
図１０は、入力信号の複数の複製を含み、出力信号のＰＡＲを低減させるためのピーク低減除去信号をさらに含む、出力信号を生成するために、複数の入力信号を処理するための実施形態のブロック図の別の例を示す図である。図１０において、ＰＡＲ処理１０１０は結合信号のＰＡＲを低減させるための処理を実行する。ユニット１０２０は、ピーク低減信号をＰＡＲ低減処理１０１０の出力に追加する。１０２０によって生成されたピーク低減信号は、ピーク低減信号を含む出力信号を生成するために、１０１０の出力に追加／結合される。
【００８４】
ピーク低減信号生成器は、ＰＡＲ低減処理１０１０の出力である結合信号を処理する。ピーク低減生成は、結合信号を使用してピーク低減信号を生成する。ピーク低減信号の生成の多くの方法が可能である。実施形態では、処理は線形又は非線形とすることができる。実施形態では、ピーク低減処理は、１０１０の出力に追加される新しい周波数成分を生成する。別の実施形態では、処理１０２０は数値最適化問題を解決して、様々な制約が課せられたピーク低減信号を生成する。
【００８５】
別の実施形態では、ピーク低減信号は、マルチストリーム処理エンジンによって処理されるサブチャネルのうちの１つ又は複数のスケーリング及び周波数偏移されたサブチャネルである。例えば、サブチャネルは周波数偏移された後、−１が掛け合わされる。別の実施形態では、ピーク信号生成は、周波数プランを使用して、処理システム又は媒体を共有する他の通信システムによるいかなる情報の伝送をも干渉しない位置に、ＰＡＲ低減信号を配置する。実施形態では、ピーク低減信号は、情報が存在しないサブチャネル間の周波数内に配置される。実施形態では、ピーク低減信号のパワーは、結合信号のパワーを増加させないように抑制される。
【００８６】
図１０は、５つの周波数サブチャネルからなる結合信号に追加されるピーク低減信号の周波数領域図の実施形態も示す図である。ピーク低減信号は、いずれのサブチャネルによっても占有されていない周波数位置に追加される。これにより、ピーク低減信号がサブチャネルのいかなる他の処理をも干渉しないように、その後ピーク低減信号が周波数選択フィルタによって容易にフィルタリングされることが可能となる。図１０において、ピーク低減信号は、結合信号内の最終サブチャネル、このケースではサブチャネル５よりも高位の周波数位置で追加される。
【００８７】
例示の実施形態では、ピーク低減信号は複数の周波数領域位置を占有し、１つの近接する周波数帯域内に収容する必要がない。
【００８８】
実施形態では、生成されるピーク低減信号生成は、結合信号、周波数プラン、ＦＣＣ制約、使用可能帯域幅、サブチャネル周波数間隔などに依存する。
【００８９】
別の実施形態では、ピーク低減生成は、スケーリング又はサブチャネル中心周波数偏移などの他のＰＡＲ低減処理と組み合わされ、両方の方法のＰＡＲ低減処理は、追加されたＰＡＲ低減性能のためにまとめて実行することが可能である。
【００９０】
少なくともいくつかの実施形態では、処理１０３０は追加されたピーク低減信号の消去をさらに含み、及び／又は、処理は処理をさらに含むことができる。別の実施形態では、処理１０３０は、当該のサブチャネルを処理する前にピーク低減信号を除去する出力信号の受信器に含まれる。ピーク低減信号の除去の実施形態は、複数の位置でデジタル又はアナログのいずれかの領域内に実装可能である。
【００９１】
図１１は、結合信号を生成するために入力信号を処理する方法の例のステップを含むフローチャートである。第１のステップ１１１０は、複数の入力信号を受信することを含む。第２のステップ１１２０は結合信号を生成することを含み、結合信号は複数のサブチャネルを備え、各サブチャネルは複数の入力信号のうちの少なくとも１つの少なくとも一部の表現を含む。第３のステップ１１３０は、結合信号のピーク対平均電力比（ＰＡＲ）を低減させるために、サブチャネルのうちの少なくとも１つの複数の入力信号のうちの少なくとも１つの少なくとも一部の表現を処理することを含む。
【００９２】
結合信号は複数のサブチャネルを含む。実施形態では、最終の出力信号は結合信号とするか、又はさらなる処理後の結合信号とすることができる。
【００９３】
実施形態では、処理は、各サブチャネルに対して異なる遅延を適用することを含む。前述のように、異なるサブチャネルの遅延は、サブチャネルの結合の前後いずれかに導入することができる。前述のように、結合信号又は出力信号のＰＡＲを低減するか又は最小限にするために、遅延が導入される。前述のように、少なくとも１つの実施形態では、位相遅延は適応的であり（adaptive）、例えば、結合信号又は出力信号のＰＡＲを測定及び／又は監視することによって選択可能である。各サブチャネルの異なる遅延は、結合信号の選択的フィルタリングによって適用可能である。少なくともいくつかの実施形態では、遅延は位相遅延又は時間遅延を含む。
【００９４】
少なくとも１つの実施形態では、各サブチャネルは異なる周波数帯域を占有し、処理は、少なくとも１つのサブチャネルで中心周波数を再調整（re-align）することを含む。別の実施形態では、各サブチャネルの再調整はランダムであるか又は確定的である。実施形態では、各サブチャネルの再調整は適応的であり（adaptive）、例えばＰＡＲ測定又はサブチャネル周波数プランのうちの少なくとも１つに基づくものである。前述のように、再調整は、結合信号及び／又は出力信号のＰＡＲ又は監視ＰＡＲの測定のフィードバックに基づいて、適応的に選択することができる。実施形態は、ＰＡＲを低減させるために少なくとも１つのサブチャネルを個別に又はまとめて再調整することをさらに含む。
【００９５】
少なくともいくつかの実施形態では、処理は、サブチャネルのうちの少なくとも１つを、少なくとも１つの他のサブチャネルとは異なるようにスケーリングすることを含む。特定の実施形態では、スケーリングは少なくとも１つの反転を含む。実施形態では、各サブチャネルに関する異なる処理は、異なるフィルタ、又はストリームのサブチャネルの異なるスケーリング、又は単にストリームを構成するすべてのサンプルの極性／符号を変更すること（ストリームに＋１又は−１を掛け合わせることと等価である）であってもよい。さらに、ストリーム処理が波形の複素ベースバンド表現を用いて実行される場合、スケーリング係数は（実成分及び虚数成分を伴う）複素数になり得る。
【００９６】
少なくとも１つの実施形態は、ピーク低減信号を生成すること、及び、結合信号にピーク低減信号を追加し、それによって結合信号のＰＡＲを低減させることを含む。他の実施形態において、ＰＡＲの特定の機能を低減させるため、又は平均ＰＡＲを向上させるために、ＰＡＲ低減信号が追加される。さらに、将来の信号のいずれの処理も、追加されたＰＡＲ低減信号に気付くことが可能であり、受信した信号をさらに処理する前にこれを除去することが可能である。ＰＡＲ低減信号は、複数の入力信号から生成することができる。
【００９７】
少なくともいくつかの実施形態では、サブチャネルのうちの少なくとも１つの複数の入力信号のうちの少なくとも１つの少なくとも一部の表現を処理することは、結合信号のサブチャネルの数に基づいて適応的に変更される。実施形態では、サブチャネルのうちの少なくとも１つの複数の入力信号のうちの少なくとも１つの少なくとも一部の表現を処理することは、入力信号の統計的相関に基づいて適応的に変更される。
【００９８】
他の実施形態において、ＰＡＲ／ピーク振幅低減アルゴリズムは動的且つ柔軟であり、同時に処理されるサブチャネルの数における動的な変化、チャネルの追加又は削除などの、ストリームの構成／処理要件における変化に応答して、変更可能である。例えば、複製されたサブチャネルの現在数に基づき、各サブチャネルに対して異なる遅延を誘導するストリームのフィルタ係数を、複製されたサブチャネル及び複製されていないサブチャネルの数、並びに場合によっては処理されたストリームのパワー又は他の統計的測定などの他の要素に基づいて、動的に修正することができる。
【００９９】
少なくともいくつかの実施形態では、サブチャネルのうちの少なくとも１つの複数の入力信号のうちの少なくとも１つの少なくとも一部の表現を処理することは、結合信号の所望のＰＡＲ特性に基づいて適応的に変更される。他の実施形態において、処理されたストリームのピーク偏位又はＰＡＲレベルを測定するカウンタが存在し、ＰＡＲ条件に基づいて処理パラメータが変更され、結果として所望のＰＡＲ特性が生じる。
【０１００】
少なくともいくつかの実施形態では、サブチャネルのうちの少なくとも１つの複数の入力信号のうちの少なくとも１つの少なくとも一部の表現を処理することは、適応的に変更され、変更の速度は、結合信号に基づく信号の受信器の特性に少なくとも部分的に基づいている。他の実施形態において、ストリーム特性における変化に基づくＰＡＲ特性における変化に応答するように動的に修正されるフィルタ係数は、ストリームのフィルタリングに対して非常に緩やかな変化を生じさせるような事前に決定された速度で変更され、その結果、その後ストリームから情報を抽出するシステムは、ストリームの処理における突然の変更による歪みの影響を受けることはないが、ストリームのＰＡＲ特性を低減させるために実行される処理済みストリームにおける変更に対処するようにそれらの処理を調整するための十分な時間を有することになる。
【０１０１】
本発明の特定の実施形態について説明及び例示してきたが、本発明は、説明及び例示された部分の特定の形式又は配置構成に限定されるものではない。本発明は、添付の特許請求の範囲によってのみ制限される。
【図１】
2015525494.tif 000003
【図２】
2015525494.tif 000004
【図３】
2015525494.tif 000005
【図４】
2015525494.tif 000006
【図５】
2015525494.tif 000007
【図６】
2015525494.tif 000008
【図７】
2015525494.tif 000009
【図８】
2015525494.tif 000010
【図９】
2015525494.tif 000011
【図１０】
2015525494.tif 000012
【図１１】
2015525494.tif 000013
【国際調査報告】
2015525494.tif 000014